(57)【要約】【課題】アナログ放送のチャンネルに対応するデジタル放送のチャンネルを容易に認識することができ、デジタル放送に容易に移行することができる放送受信装置を提供する。【解決手段】このテレビ１は、チャンネルを選局することで、該当する放送局からアナログ放送及びデジタル放送を受信する。アナログ放送の選局時、テレビ１は、放送局から音声信号と映像信号とキャプション情報とを受信する。テレビ１は、受信したキャプション情報から、受信中のアナログ放送と同じ番組を放送するデジタル放送のチャンネルを取得する。テレビ１は、受信中のアナログ放送のチャンネルと、取得したデジタル放送のチャンネルとを対応付けて記憶する。また、テレビ１は、ユーザからの操作入力により、記憶したアナログ放送及びデジタル放送のチャンネルの対応関係を参照して、該対応関係がわかるようにＯＳＤ信号を生成して表示する。【選択図】図３
2009105583.tif 000002
【特許請求の範囲】
【請求項１】
アナログ放送及びデジタル放送を受信する受信部を備えた放送受信装置において、
前記受信部が受信するアナログ放送及びデジタル放送のチャンネルの選局を含む操作入力を受け付ける操作部と、
前記受信部が受信しているアナログ放送のチャンネルのキャプション情報から、このチャンネルに対応するデジタル放送のチャンネルを取得するチャンネル取得部と、
前記受信部が受信しているアナログ放送のチャンネルと、前記チャンネル取得部が取得したデジタル放送のチャンネルと、を対応付けて記憶する記憶部と、
前記操作部で所定の操作入力を受け付けた時に、前記記憶部に記憶している記憶内容に基づいて、アナログ放送のチャンネルとデジタル放送のチャンネルとの対応関係を含む映像を出力する表示用出力部と、を備えた放送受信装置。
【請求項２】
前記表示用出力部は、前記操作部がアナログ放送のチャンネルとデジタル放送のチャンネルとの対応関係の一覧表示に係る操作入力を受け付けた時に、アナログ放送のチャンネル毎に対応するデジタル放送のチャンネルの一覧を含む映像を出力する請求項１に記載の放送受信装置。
【請求項３】
前記表示出力部は、前記操作部がアナログ放送のチャンネルの選局に係る操作入力を受け付けた時に、該アナログ放送のチャンネルに対応するデジタル放送のチャンネルを含む映像を出力する請求項１又は請求項２に記載の放送受信装置。
【発明の詳細な説明】
【技術分野】
【０００１】
この発明は、アナログ放送及びデジタル放送を受信することができる放送受信装置に関する。
【背景技術】
【０００２】
近年、地上波デジタル放送の開始に合わせて、地上波のアナログ放送とデジタル放送との受信が可能な放送受信装置が各種考案されている（特許文献１参照。）。
【０００３】
特許文献１に記載のテレビジョン放送受信装置は、受信中のアナログ放送と同じ番組がデジタル放送にて放送されている場合、デジタル放送に切り替えるようメッセージを表示して、自動的にデジタル放送に切り替える。
【特許文献１】特開２００４−３２０４４９号公報
【発明の開示】
【発明が解決しようとする課題】
【０００４】
しかしながら、特許文献１のテレビジョン放送受信装置は、アナログ放送からデジタル放送に自動的に切り換えるので、アナログ放送とデジタル放送のチャンネルの対応関係をユーザに通知していなかった。このため、アナログ放送のチャンネルに対応するデジタル放送のチャンネルをユーザに認識させることができなかった。その結果、アナログ放送のチャンネルのみ記憶しているユーザは、デジタル放送の番組を鑑賞する際に、デジタル放送のチャンネルを調べる必要があり、デジタル放送の番組を容易に鑑賞することができず、アナログ放送からデジタル放送に容易に移行することができなかった。
【０００５】
そこで、この発明は、アナログ放送のチャンネルに対応するデジタル放送のチャンネルを、ユーザに認識させ、アナログ放送からデジタル放送への移行が容易に行える放送受信装置を提供する。
【課題を解決するための手段】
【０００６】
この発明の放送受信装置は、アナログ放送とデジタル放送とを受信可能なチューナを備える。放送受信装置は、アナログ放送の受信時に、受信中のアナログ放送のキャプション情報から、デジタル放送のチャンネルを取得すると、受信中のアナログ放送のチャンネルとデジタル放送のチャンネルとを対応付けて記憶する。放送受信装置は、ユーザの操作入力を受け付けると、自装置に記憶しているアナログ放送のチャンネルとデジタル放送のチャンネルとの対応関係を参照して、アナログ放送のチャンネルとデジタル放送のチャンネルとの対応関係とを含む映像データを出力する。これにより、放送受信装置は、アナログ放送のチャンネルとデジタル放送のチャンネルとを対応付けてユーザに通知することで、アナログ放送のチャンネルに対応するデジタル放送のチャンネルをユーザに認識させることができる。従って、ユーザは、アナログ放送からデジタル放送への移行を容易に行える。
【０００７】
また、放送受信装置は、アナログ放送のチャンネル毎に、該アナログ放送のチャンネルに対応するデジタル放送のチャンネルの一覧表示を出力する構成としてもよい。このように構成することで、ユーザは、アナログ放送のチャンネルさえ分かれば、デジタル放送のチャンネルを容易に認識することができ、デジタル放送で番組を容易に鑑賞することができる。
【０００８】
更に、放送受信装置は、アナログ放送が選局されると、選局されたアナログ放送の番組を放送するデジタル放送のチャンネル表示を出力する構成としてもよい。このように構成することで、放送受信装置は、選局したアナログ放送の番組を放送するデジタル放送のチャンネルをユーザに認識させることができる。
【発明の効果】
【０００９】
本発明によれば、アナログ放送のチャンネルに対応するデジタル放送のチャンネルをユーザに認識させることができ、アナログ放送からデジタル放送への移行を容易に行うことができる。
【発明を実施するための最良の形態】
【００１０】
本実施形態に係る放送受信装置を備えたテレビ１について、図１，２を参照して説明する。図１は、テレビの機能・構成を示すブロック図である。図２は、記憶部が記憶するチャンネル情報ＤＢの一例を示す。なお、本実施形態では、テレビ１が本発明に係る放送受信装置を備えるものとして説明するが、テレビ１に限らず、ＳＴＢ（Ｓｅｔ  Ｔｏｐ  Ｂｏｘ）が放送受信装置を備えてもよい。
【００１１】
まず、本実施形態に係るテレビ１の機能・構成について説明する。図１に示すように、テレビ１は、デジタル・アナログチューナ（以下、チューナと称す。）１１、操作部１２、制御部１３、解析部１４、記憶部１５、ＯＳＤ処理部１６、表示部１７、及び放音部１８を備える。
【００１２】
チューナ１１は、制御部１３からのチャンネルの選局指示に基づいて、該当するアナログ放送及びデジタル放送を受信する。
【００１３】
アナログ放送の選局時、チューナ１１は、放送局から音声信号と映像信号とキャプション情報と受信する。このキャプション情報は、画像情報であり、例えば、ニュース、字幕、受信中のアナログ放送と同じ番組を放送しているデジタル放送のチャンネル等を示す情報である。チューナ１１は、アナログ放送を受信すると、音声信号を放音部１８へ出力し、ＯＳＤ処理部１６を介して表示部１７へ出力して、キャプション情報を制御部１３へ出力する。
【００１４】
また、デジタル放送の選局時、チューナ１１は、音声信号と映像信号とを受信する。チューナ１１は、デジタル放送を受信すると、音声信号を放音部１８へ出力し、ＯＳＤ処理部１６を介して表示部１７へ出力する。
【００１５】
操作部１２は、ユーザからの操作入力を受け付け、操作入力内容を制御部１３へ出力する。例えば、操作入力内容とは、アナログ放送及びデジタル放送のチャンネルの選局（以下、チャンネルの選局と称す。）や、アナログ放送のチャンネルとデジタル放送のチャンネルとの対応関係の一覧表示（以下、チャンネルの一覧表示と称す。）等である。
【００１６】
制御部１３は、操作部１２からの操作入力内容に基づいて、チューナ１１、及びＯＳＤ処理部１６を制御する。例えば、制御部１３は、操作部１２からチャンネルの選局指示が入力されると、チューナ１１及びＯＳＤ処理部１６を制御する。また、制御部１３は、操作部１２からチャンネルの一覧表示指示が入力されると、ＯＳＤ処理部１６を制御する。なお、チャンネルの選局時、及びチャンネルの一覧表示時の処理については、詳細を後述する。
【００１７】
また、制御部１３は、チューナ１１からキャプション情報が入力されると、解析部１４にてキャプション情報の解析を行う。制御部１３は、キャプション情報がデジタル放送のチャンネルに関する情報の場合には、受信中のアナログ放送のチャンネルとデジタル放送のチャンネルとを記憶部１５に出力する。また、制御部１３は、キャプション情報がデジタル放送のチャンネルに関する情報以外の場合には、ＯＳＤ処理部１６へそのまま出力する。
【００１８】
解析部１４は、制御部１３から入力されたキャプション情報を解析する。解析部１４は、例えば、文字パターン認識を行う画像処理ソフトで、画像情報であるキャプション情報の文字認識処理を行う。解析部１４は、キャプション情報がデジタル放送のチャンネルに関する情報の場合は、認識したデジタル放送のチャンネルを文字コードに変換して、制御部１３へ出力する。また、解析部１４は、キャプション情報がデジタル放送のチャンネル関する情報でない場合は、キャプション情報をそのまま制御部１３へ出力する。
【００１９】
このデジタル放送のチャンネルに関する情報は、情報の開始を示す「＊＊（２つのアスタリスク）」と、デジタル放送のチャンネルと、情報の終了を示す「＊（アスタリスク）」と、から構成される。解析部１４は、「＊＊（２つのアスタリスク）」を検出すると、次の「＊（アスタリスク）」を検出するまでの間に検出した文字を、デジタル放送のチャンネルであると認識する。
【００２０】
記憶部１５は、図２に示すチャンネル情報ＤＢを記憶する。チャンネル情報ＤＢには、アナログ放送のチャンネル毎に、該アナログ放送のチャンネルと同じ番組を放送するデジタル放送のチャンネルが、対応付けて登録される。このアナログ放送のチャンネルとデジタル放送のチャンネルとは、文字コードとして登録される。例えば、アナログ放送のＡ２ＣＨの番組がデジタル放送のＤ２−１ＣＨで放送される場合、アナログ放送のＡ２ＣＨとデジタル放送のＤ２−１ＣＨとを対応付けて登録する。また、アナログ放送のＡ８ＣＨの番組がデジタル放送のＤ１１−１ＣＨとＤ１１−２ＣＨとで放送される場合、アナログ放送のＡ８ＣＨとデジタル放送のＤ１１−１ＣＨ，Ｄ１１−２ＣＨとを対応付けて登録する。
【００２１】
また、このチャンネル情報ＤＢは、制御部１３により適宜更新され、チャンネルの選局時、及びチャンネルの一覧表示時に、制御部１３により参照される。
【００２２】
ＯＳＤ処理部１６は、制御部１４からチャンネル情報ＤＢに文字コードとして登録されたアナログ放送のチャンネル及びデジタル放送のチャンネルの少なくとも一方が入力されると、該チャンネルに対してＯＳＤ信号処理を行い、生成したＯＳＤ信号とチューナ１１からの映像信号とを合成して、表示部１７へ出力する。
【００２３】
また、ＯＳＤ処理部１６は、制御部１４からキャプション情報が入力されると、キャプション情報とチューナ１１からの映像信号とを合成して表示部１７へ出力する。この際、ＯＳＤ処理部１６は、キャプション情報を表示しない設定の場合には、チューナ１１からの映像信号のみを表示部１７へ出力する。
【００２４】
表示部１７は、所謂モニタであり、ＯＳＤ処理部１６が入力した信号を表示する。
【００２５】
放音部１８は、所謂スピーカであり、チューナ１１が入力した音声信号を放音する。
【００２６】
次に、アナログ放送受信時の処理の流れについて、図３を参照して説明する。図３は、アナログ放送受信時の処理に関するフローチャートである。なお、説明の簡単化のため、放音に関する処理について省略し、映像に関する処理についてのみ説明する。図３に示すように、テレビ１は、チューナ１１にてアナログ放送を受信すると（Ｓ１０１：Ｙｅｓ）、受信したアナログ放送にキャプション情報が含まれるか否か判断する（Ｓ１０２）。キャプション情報が含まれない場合は（Ｓ１０２：Ｎｏ）、受信した映像信号のみを表示する（Ｓ１０８）。
【００２７】
受信したアナログ放送にキャプション情報が含まれる場合は（Ｓ１０２：Ｙｅｓ）、解析部１４にてキャプション情報の文字認識処理を行い、キャプション情報がデジタル放送のチャンネルに関する情報であるか否かを調べる（Ｓ１０３）。デジタル放送のチャンネルに関する情報でない場合は（Ｓ１０３：Ｎｏ）、テレビ１の設定に応じて受信した映像信号を表示して（Ｓ１０９）、ステップＳ１０１へ戻る。この際、テレビ１がキャプション情報を表示する設定の場合は、映像信号とキャプション情報とを合成して表示する。また、テレビ１がキャプション情報を表示しない設定の場合は、映像信号のみを表示する。
【００２８】
キャプション情報がデジタル放送のチャンネルに関する情報である場合は（Ｓ１０３：Ｙｅｓ）、受信中のアナログ放送のチャンネルがチャンネル情報ＤＢに登録済みか否かを調べる（Ｓ１０４）。未登録の場合は（Ｓ１０４：Ｎｏ）受信中のアナログ放送のチャンネルと、取得したデジタル放送のチャンネルを対応付けて、チャンネル情報ＤＢに登録して（Ｓ１０５）、上述したステップＳ１０８以降の処理を行う。
【００２９】
受信中のアナログ放送のチャンネルが登録済みの場合は（Ｓ１０４：Ｙｅｓ）、受信中のアナログ放送のチャンネルと、取得したデジタル放送のチャンネルと、が対応付けられてチャンネル情報ＤＢに登録済みか否かを調べる（Ｓ１０６）。登録済みの場合は（Ｓ１０６：Ｙｅｓ）、上述したステップＳ１０８以降の処理を行う。
【００３０】
また、受信中のアナログ放送のチャンネルと、取得したデジタル放送のチャンネルと、が対応付けられて登録されていない場合は（Ｓ１０６：Ｎｏ）、受信中のアナログ放送のチャンネルに、取得したデジタル放送のチャンネルを、チャンネル情報ＤＢへ追加登録し（Ｓ１０７）、上述したステップＳ１０８以降の処理を行う。ステップＳ１０８の処理が完了すると、ステップＳ１０１へ戻り、アナログ放送の受信を終了するまで（Ｓ１０１：Ｎｏ）、ステップＳ１０２〜Ｓ１０９の処理を繰り返し実行する。
【００３１】
以上のように、テレビ１は、アナログ放送の受信中に、デジタル放送のチャンネルが含まれたキャプション情報を受信すると、受信中のアナログ放送のチャンネルと受信したデジタル放送のチャンネルとを対応付けて記憶する。そして、テレビ１は、ユーザの操作入力により、アナログ放送のチャネルとデジタル放送のチャンネルとの対応関係(以下、チャンネルの対応関係と称す。)を表示する。これにより、ユーザは、チャンネルの対応関係を参照することで、アナログ放送のチャンネルからデジタル放送のチャンネルを容易に認識することができる。従って、デジタル放送へ容易に移行することができる。
【００３２】
次に、チャンネルの対応関係を表示するタイミングについて、図４〜７を参照して説明する。チャンネルの対応関係を表示するタイミングとは、チャンネルの選局を行うタイミング、チャンネルの一覧表示を行うタイミングである。
【００３３】
まず、チャンネルの選局時の処理について図４，５を参照して説明する。図４は、チャンネルの選局時の処理に関するフローチャートである。図５は、チャンネルの選局時のＯＳＤ表示に関する説明図である。なお、説明の簡単化のため、ユーザがアナログ放送のチャンネルを選局した場合について説明する。
【００３４】
図４に示すように、テレビ１は、ユーザがアナログ放送のチャンネルを選局すると（Ｓ１２１）、自装置の記憶部１５に記憶したチャンネル情報ＤＢ（図２参照）を参照して、ユーザが選局したアナログ放送のチャンネルに対応するデジタル放送のチャンネルを取得する（Ｓ１２２）。テレビ１は、取得したデジタル放送のチャンネルに対してＯＳＤ信号処理を行い、ＯＳＤ信号を生成して（Ｓ１２３）、表示部１７にＯＳＤ表示する（Ｓ１２４）。
【００３５】
例えば、図５に示すように、アナログ放送のＡ２ＣＨをユーザが選局すると、テレビ１は、「この番組は、Ｄ２−1ＣＨになります。」とＯＳＤ表示する。また、アナログ放送のＡ８ＣＨをユーザが選局すると、テレビ１は、「この放送局の番組は、Ｄ１１−１ＣＨとＤ１１−２ＣＨになります。」とＯＳＤ表示する。すなわち、テレビ１は、受信中のアナログ放送の番組を放送する、デジタル放送のチャンネルを表示する。これにより、ユーザは、アナログ放送で鑑賞している番組を放送するデジタル放送のチャンネルを容易に認識することができる。
【００３６】
また、テレビ１は、ユーザがデジタル放送のチャンネルを選局すると、自装置の記憶部１５に記憶したチャンネル情報ＤＢ（図２参照）を参照して、ユーザが選局したデジタル放送のチャンネルに対応するアナログ放送のチャンネルを取得する。テレビ１は、取得したアナログ放送のチャンネルをＯＳＤ表示する。
【００３７】
例えば、デジタル放送のＤ２−１ＣＨをユーザが選局すると、テレビ１は、「この番組は、以前のＡ２ＣＨです。」とＯＳＤ表示する。また、新たに追加されたデジタル放送のＤ２−２ＣＨをユーザが選局すると、テレビ１は、「以前のＡ２ＣＨは、Ｓｕｂ１ＣＨで放送しています。」とＯＳＤ表示する。すなわち、テレビ１は、受信中のデジタル放送の番組を放送していた、アナログ放送のチャンネルを表示する。これにより、ユーザは、受信中のデジタル放送で、鑑賞可能な番組を容易に推測することができる。
【００３８】
次に、チャンネルの一覧表示時の処理について、図６，７を参照して説明する。図６は、チャンネルの一覧表示時の処理に関するフローチャートである。図７は、チャンネルの一覧表示時のＯＳＤ表示に関する説明図である。図７（Ａ）は、表示画面全体を示し、図７（Ｂ）は、ＯＳＤ表示のみを示す。
【００３９】
図６に示すように、テレビ１は、ユーザがチャンネルの一覧表示を選択すると（Ｓ１４１）、記憶部１５からチャンネル情報ＤＢを取得する（Ｓ１４２）。テレビ１は、チャンネル情報ＤＢの登録内容に対してＯＳＤ信号処理を行い、ＯＳＤ信号を生成して（Ｓ１４３）、表示部１７にＯＳＤ表示する（Ｓ１４４）。
【００４０】
例えば、テレビ１は、図４（Ａ）に示すように、表示画面の右上に図４（Ｂ）に示すチャンネルの対応関係を表示する。これにより、ユーザは、鑑賞したい番組のデジタル放送のチャンネルが分からなくても、アナログ放送のチャンネルが分かれば、チャンネルの対応関係を参照することができ、デジタル放送のチャンネルを認識することができる。従って、デジタル放送の番組を容易に鑑賞することができる。
【００４１】
なお、本実施形態では、テレビ１は、チャンネルの対応関係を文字コードして記憶部１５に記憶した。しかし、テレビ１は、チャンネルの対応関係を画像情報として記憶部１５に記憶してもよい。
【００４２】
また、本実施形態では、テレビ１は、アナログ放送の受信時に、キャプション情報を受信し、チャンネルの対応関係を記憶部１５に記憶した。しかし、テレビ１は、デジタル放送の受信時に、キャプションデータを受信し、チャンネルの対応関係を記憶部１５に記憶してもよい。
【００４３】
更に、本実施形態では、公共放送を受信するテレビであったが、ケーブルテレビや衛星放送を受信するテレビでもよい。
【図面の簡単な説明】
【００４４】
【図１】テレビの機能・構成を示すブロック図である。
【図２】記憶部が記憶するチャンネル情報ＤＢの一例を示す。
【図３】アナログ放送受信時の処理に関するフローチャートである。
【図４】チャンネルの選局時の処理に関するフローチャートである。
【図５】チャンネルの選局時のＯＳＤ表示に関する説明図である。
【図６】チャンネルの一覧表示時の処理に関するフローチャートである。
【図７】チャンネルの一覧表示時のＯＳＤ表示に関する説明図である。
【符号の説明】
【００４５】
１−テレビ，１１−デジタル・アナログチューナ（チューナ），１２−操作部，１３−制御部，１４−解析部，１５−記憶部，１６−ＯＳＤ処理部，１７−表示部，１８−放音部
【図１】
2009105583.tif 000003
【図２】
2009105583.tif 000004
【図３】
2009105583.tif 000005
【図４】
2009105583.tif 000006
【図５】
2009105583.tif 000007
【図６】
2009105583.tif 000008
【図７】
2009105583.tif 000009